(57)【要約】【課題】出入口の枠隙間への引き込み検出を迅速且つ適確に行い、引き込み対象に加わる負荷を極力軽減できるエレベータ用出入口装置を提供する。【解決手段】この出入口装置は、出入口の枠隙間への開動作時の人体や物体の引き込み状態を検出する引き込み検出機構を備え、その変位機構（可動装置１０及びドア保持装置１４）は、ハンガー２及びかごドアパネル１ａを結合して相対的に変位させ、その過負荷判定機構は、パネル１ａへの負荷力Ｆが或る値を超えると、ハンガー２に対してパネル１ａが所定値以上の相対的な変位値になるため、可動装置１０のベース１７の起立部に設けられた変位検出用カム１６がハンガー２の鍔部に設けられたマイクロスイッチ１５のスイッチレバー１５ａを押し下げてスイッチ動作をオン状態にし、これによりパネル１ａに加えられる負荷力Ｆが異常となった過負荷状態が検出されるので、パネル１ａを停止させて反転移動できる。【選択図】図２
2014231421.tif 000002
【特許請求の範囲】
【請求項１】
建物に設備される昇降路内における各階床間を昇降する乗りかごに備えられたかごドアパネルの開閉動作時に当該各階床毎の当該昇降路周辺に設けられた乗場ドアパネルが係合して連動することで形成される出入口の枠隙間に対する開動作時の引き込みを検出する引き込み検出機構を備えたエレベータ用出入口装置であって、
前記引き込み検出機構は、前記かごドアパネルをドアレールに吊るした状態で保持させるハンガーローラを含むハンガーと当該かごドアパネルとを結合して相対的に変位させるための変位機構と、前記ハンガー及び前記かごドアパネルの間に設けられて前記変位機構による前記変位の値が所定値以上となった状態を検出して前記かごドアパネルに対する過負荷状態を判定するための過負荷判定機構と、を備えたことを特徴とするエレベータ用出入口装置。
【請求項２】
請求項１記載のエレベータ用出入口装置において、前記変位機構は、前記かごドアパネル側に配置されるベースの鍔部が締結部材の締結により当該かごドアパネルに固定されると共に、当該ベースの鍔部より起立した起立部における前記ハンガー側の鍔部に設けられた長穴を通して突出させた先端部分に設けた複数の軸に対して回転可能に取り付けたローラがハンガーの鍔部に載置されて変位を促進する構造の可動装置と、一端側が前記かごドアパネルに固定されたドア側ブラケットの前記ハンガー側に突出した他端側を当該ハンガーに設けられたハンガー側ブラケットとの間に介在させたばねにより付勢して前記可動装置の変位を抑制する構造のドア保持装置と、を備えて成ることを特徴とするエレベータ用出入口装置。
【請求項３】
請求項２記載のエレベータ用出入口装置において、前記過負荷判定機構は、前記可動装置における前記ベースの起立部の所定箇所に設けられた変位検出用カムと、前記ハンガーにおける前記鍔部の前記かごドアパネル側の所定箇所に設けられたマイクロスイッチと、を備えて成り、前記マイクロスイッチは、前記かごドアパネル及び前記ハンガーの相対的な変位の値が前記所定値以上になったときに前記変位検出用カムが当接して撓むことでスイッチ動作をオン状態にするスイッチレバーを備えたことを特徴とするエレベータ用出入口装置。
【発明の詳細な説明】
【技術分野】
【０００１】
本発明は、乗りかごに備えられたかごドアパネルの開閉動作時に多階床毎に設けられた乗場ドアパネルが係合して連動することで形成される出入口の枠隙間への開動作時における人体や物体の引き込みへの安全対策機能を持たせたエレベータ用出入口装置に関する。
【背景技術】
【０００２】
従来、この種のエレベータ用出入口装置としては、例えば図５に示されるような構成のもの（文献公知に係る発明でないが、一般的に知られている構造のもの）が挙げられる。図５を参照すれば、ここでのエレベータ用出入口装置は、乗りかごの正面側からの概略構成を示しており、乗りかごに備えられた左右のかごドアパネル１ａ、１ｂは、上端でそれぞれハンガー２に設けられたハンガーローラ２ａによってレール取付板４に取り付けられて保持されたドアレール３に吊るされており、この状態で下部がガイドシュー５を介して敷居６にガイドされ、左右方向に開閉動作できるようになっている。
【０００３】
また、レール取付板４上には開閉装置（ドアマシン）７が設置され、開閉装置７のドアモータ７ａの回転運動を駆動ロープ８により左右方向の直線運動に変換し、駆動ロープ８を連結部９ａ、９ｂを介してハンガー２と連結させることで、ハンガー２のハンガーローラ２ａがドアレール３上を転動し、ハンガー２がかごドアパネル１ａ、１ｂを左右方向に開閉させる機構となっている。
【０００４】
ところで、係るエレベータ用出入口装置では、図示されない建物に設備される昇降路内における各階床間を乗りかごが昇降して所定の階床で停止した後、かごドアパネル１ａ、１ｂが開閉動作する際、各階床毎の昇降路周辺に設けられた図示されない乗場ドアパネルが係合して連動することで出入口が形成されるが、開動作時に出入口の枠部とドアパネルとの隙間に生じる出入口の枠隙間に対して指等の人体や衣服等の物体が引き込まれることによって、かごドアパネル１ａ、１ｂの開動作へ異常な過負荷が生じた場合、ドアモータ７ａの過負荷検出が行われて開閉装置７でドアモータ７ａの停止制御を行わない限り、かごドアパネル１ａ、１ｂが開き続けようとして引き込み状態が継続することになる。
【０００５】
そこで、このような出入口の枠隙間への人体や物体の引き込みを安全に対策する技術も提案されており、例えばドア（かごドアパネル）に異常負荷が作用したとき反転して人体の安全、器物の損傷防止を図る過負荷反転機構を備えた「ドア開閉装置」（特許文献１参照）や、ドアパネル（かごドアパネル）の開閉時にドアパネルに生じる過負荷を確実に検出することができる「エレベーターの出入口装置」（特許文献２参照）が挙げられる。
【先行技術文献】
【特許文献】
【０００６】
【特許文献１】特開平２−１６９４８８号公報
【特許文献２】特開平１１−２１７１７１号公報
【発明の概要】
【発明が解決しようとする課題】
【０００７】
上述した特許文献１に係る技術は、かごドアパネルに設けられた１セットの過負荷検出機構を駆動ベルトの上側と下側とに連結した構造であり、また引用文献２に係る技術は、かごドアパネルのハンガーを過負荷検出装置を介して駆動チェーンに対して相対変位可能に連結した構造であるが、何れも場合も開動作時に負荷が加えられるかごドアパネルから過負荷検出機構や過負荷検出装置までの距離が離れているため、出入口の枠隙間への人体や物体の引き込み検出に相当な時間を要すること、並びに過負荷検出機構や過負荷検出装置を起動させるためのパワー損失が発生し、実際に起動させるためにより大きなパワーが必要となることにより、人体や物体が出入口の枠隙間へ引き込まれた場合、引き込み対象に高い負荷が加わる可能性があることにより、安全対策機能が十分でなく実用上で適用し難いという問題がある。
【０００８】
本発明は、このような問題点を解決すべくなされたもので、その技術的課題は、出入口の枠隙間への引き込み検出を迅速且つ適確に行うことができ、引き込み対象に加わる負荷を極力軽減できるエレベータ用出入口装置を提供することにある。
【課題を解決するための手段】
【０００９】
上記技術的課題を解決するため、本発明は、建物に設備される昇降路内における各階床間を昇降する乗りかごに備えられたかごドアパネルの開閉動作時に当該各階床毎の当該昇降路周辺に設けられた乗場ドアパネルが係合して連動することで形成される出入口の枠隙間に対する開動作時の引き込みを検出する引き込み検出機構を備えたエレベータ用出入口装置であって、引き込み検出機構は、かごドアパネルをドアレールに吊るした状態で保持させるハンガーローラを含むハンガーと当該かごドアパネルとを結合して相対的に変位させるための変位機構と、ハンガー及びかごドアパネルの間に設けられて変位機構による変位の値が所定値以上となった状態を検出してかごドアパネルに対する過負荷状態を判定するための過負荷判定機構と、を備えたことを特徴とする。
【発明の効果】
【００１０】
本発明のエレベータ用出入口装置によれば、ハンガー及びかごドアパネルを結合して相対的に変位させるための変位機構、並びにハンガー及びかごドアパネルの間に設けられて変位機構による変位の値が所定値以上となった状態を検出してかごドアパネルに対する過負荷状態を判定するための過負荷判定機構から成る引き込み検出機構を備えており、周知なドアモータや駆動チェーンで過負荷を検出する構造と比べてドアパネルから過負荷検出部（過負荷判定機構）までの距離を近付けることが可能となるため、出入口の枠隙間への人体や物体の引き込み検出を迅速且つ適確に行ってかごドアパネルを停止して反転移動することで引き込み対象に加わる負荷を極力軽減できるようになる。
【図面の簡単な説明】
【００１１】
【図１】本発明の実施例１に係るエレベータ用出入口装置の基本構成を乗りかごの正面側から示した概略図である。
【図２】図１に示すエレベータ用出入口装置の要部である引き込み検出機構の細部構造を拡大して示した図である。
【図３】図２に示される引き込み検出機構の変位機構に含まれる可動装置の細部構造を上面方向から示した図である。
【図４】図３に示す可動装置の細部構造を側面方向から示した図である。
【図５】従来のエレベータ用出入口装置の基本構成を乗りかごの正面側から示した概略図である。
【発明を実施するための形態】
【００１２】
以下に、本発明のエレベータ用出入口装置について、実施例を挙げ、図面を参照して詳細に説明する。
【実施例１】
【００１３】
図１は、本発明の実施例１に係るエレベータ用出入口装置の基本構成を乗りかごの正面側から示した概略図である。このエレベータ用出入口装置は、図５に示した周知装置と比べ、基本構成は同じであるため、同じ構成部分には同一の参照符号を付して説明を省略し、相違する部分について説明する。このエレベータ用出入口装置では、出入口の枠隙間への開動作時の人体や物体の引き込み状態を検出するため、かごドアパネル１ａ、１ｂをドアレール３に吊るした状態で保持させるハンガーローラ２ａを含むハンガー２とかごドアパネル１ａ、１ｂとを結合して相対的に変位させるための変位機構（図１中では後述する可動装置１０のみが示される）、並びにハンガー２及びかごドアパネル１ａの間に設けられて変位機構による変位の値が所定値以上となった状態を検出してかごドアパネル１ａに対する過負荷状態を判定するための過負荷判定機構から成る引き込み検出機構が備えられている。
【００１４】
図２は、係るエレベータ用出入口装置の要部である引き込み検出機構の細部構造を拡大して示した図である。図２を参照すれば、引き込み検出機構における上述した変位機構は、かごドアパネル１ａ側に配置されるベース１７の鍔部が締結部材（ボルト）の締結によりかごドアパネル１ａに固定されると共に、ベース１７の鍔部より起立した起立部におけるハンガー２側の鍔部に設けられた長穴２ｂを通して突出させた先端部分に設けた複数の軸１９に対して回転可能に取り付けたローラ１８がハンガー２の鍔部に載置されて変位を促進する構造の可動装置１０と、一端側がかごドアパネル１ａに固定されたドア側ブラケット１２のハンガー２側に突出した他端側をハンガー２に設けられたハンガー側ブラケット１１との間に介在させたばね１３により付勢して可動装置１０の変位を抑制する構造のドア保持装置１４と、を備えて構成される。
【００１５】
また、引き込み検出機構における上述した過負荷判定機構は、可動装置１０におけるベース１７の起立部の所定箇所に設けられた変位検出用カム１６と、ハンガー２における鍔部のかごドアパネル１ａ側の所定箇所に設けられたマイクロスイッチ１５と、を備えて構成される。このうち、マイクロスイッチ１５は、かごドアパネル１ａ及びハンガー２の相対的な変位の値が所定値以上になったときに変位検出用カム１６が当接して撓むことでスイッチ動作をオン状態にするスイッチレバー１５ａを備えている。
【００１６】
図３は、可動装置１０の細部構造を上面方向から示した図である。また、図４は、可動装置１０の細部構造を側面方向から示した図である。図３及び図４を参照すれば、かごドアパネル１ａ、１ｂとハンガー２との間を結合して設けられる可動装置１０は、側面方向の断面形状がＬ字状部材のベース１７の起立部の上方両端に設けられた一対の軸１９の両端に対してそれぞれローラ１８が回転可能に取り付けられ、ベース１７の鍔部には図示されない締結部材を挿入してかごドアパネル１ａに対して締結するための貫通穴が形成されている。
【００１７】
ハンガー２についても、側面方向の断面形状がＬ字状部材であり、鍔部には可動装置１０のベース１７の起立部を挿通させるための長穴２ｂが設けられている。この長穴２ｂの長さは、可動装置１０のベース１７の起立部の幅より大きく、且つ可動装置１０のベース１７の起立部が右側方向に可動できるように設けられている。可動装置１０のローラ１８は、ハンガー２の鍔部上面で転動可能な状態で載置されるため、かごドアパネル１ａとハンガー２とが相対的に変位することが可能となっている。
【００１８】
また、ドア保持装置１４は、かごドアパネル１ａに対して異常な過負荷が加わっていない通常状態では、かごドアパネル１ａがハンガー２に対して相対的に変位しないように、ばね１３の付勢力によりかごドアパネル１ａに取り付けられた可動装置１０のベース１７の起立部を長穴２ｂにおける左端壁に押し付けており、図２中に示す負荷力Ｆの方向に異常な過負荷が加わった状態では、ばね１３が圧縮されてかごドアパネル１ａが右側方向に変位する。
【００１９】
更に、過負荷判定機構における可動装置１０のベース１７の起立部に設けられた変位検出用カム１６は、かごドアパネル１ａがハンガー２に対して図２中の負荷力Ｆの右側方向に所定値以上で変位した場合、ハンガー２の鍔部に設けられたマイクロスイッチ１５のスイッチレバー１５ａを右側方向に押し込むため、マイクロスイッチ１５のスイッチ動作がオン状態となり、これによってかごドアパネル１ａの開動作時に人体や物体が出入口の枠隙間に引き込まれて過負荷が加わる状態を迅速且つ適確に検出することができる。
【００２０】
具体的に云えば、実施例１に係るエレベータ用出入口装置では、図１を参照すれば、かごドアパネル１ａ、１ｂを左右方向で開動作させる場合、駆動ロープ８が開閉装置７のドアモータ７ａにより駆動されて直線運動を行い、これに伴って駆動ロープ８に対して連結部９ａ、９ｂで固定されたハンガー２も追従して駆動され、ハンガー２に可動装置１０を介して連結されているかごドアパネル１ａ、１ｂも左右方向で開く方向に動く。ここで、例えばかごドアパネル１ａ側の出入口の枠隙間に人体の指が挟まれたと想定すると、図２に示す負荷力Ｆがかごドアパネル１ａに加わり、その際にかごドアパネル１ａはハンガー２に対して当初の位置よりも右側方向へ相対的に変位し、同時にかごドアパネル１ａに固定されているドア側ブラケット１２もハンガー２に対して当初の位置よりも右側方向へ相対的に変位する。この状態では、バネ１３はドア側ブラケット１２に押圧されて右側方向へ相対的に変位しようとするが、ハンガー２及びこれに設けられているハンガー側ブラケット１１がドアモータ７ａの駆動力を受けて右側方向へ移動するため、バネ１３は圧縮されることになる。
【００２１】
このときの圧縮力は、かごドアパネル１ａに加えられる負荷力Ｆに応じて変動し、それに伴ってハンガー２に対するかごドアパネル１ａの相対的な変位値も変化する。そこで、かごドアパネル１ａに加えられる負荷力Ｆが或る値を超えると、ハンガー２に対してかごドアパネル１ａが所定値以上の相対的な変位値になるため、可動装置１０のベース１７の起立部に設けられた変位検出用カム１６がハンガー２の鍔部に設けられたマイクロスイッチ１５のスイッチレバー１５ａを押し下げてスイッチ動作をオン状態にする。これにより、かごドアパネル１ａに加えられる負荷力Ｆが異常となった過負荷状態が検出されることになる。このマイクロスイッチ１５における過負荷検出を示す信号は、開閉装置７に伝送されるため、開閉装置７では直ちにドアモータ７ａの駆動を一旦停止させた後に反転駆動させることによりかごドアパネル１ａ、１ｂを閉じる方向へ移動させるため、人体の指の引き込み状態を解消して加えられる負荷を迅速に軽減させることができる。
【００２２】
即ち、実施例１に係るエレベータ用出入口装置では、ハンガー２及びかごドアパネル１ａ、１ｂを結合して相対的に変位させるための変位機構（可動装置１０及びドア保持装置１４）、並びにハンガー２及びかごドアパネル１ａの間に設けられて変位機構による変位の値が所定値以上となった状態を検出してかごドアパネル１ａに対する過負荷状態を判定するための過負荷判定機構から成る引き込み検出機構を備えているため、周知なドアモータ７ａや駆動チェーンで過負荷を検出する構造と比べてかごドアパネル１ａから過負荷検出部（過負荷判定機構）までの距離を一層近付けることが可能となる。これにより、出入口の枠隙間への人体や物体の引き込み検出を迅速且つ適確に行ってかごドアパネル１ａ、１ｂを停止して反転移動することで引き込み対象に加わる負荷を極力軽減できるようになり、十分な安全対策機能が得られる。
【００２３】
尚、実施例１に係るエレベータ用出入口装置では、引き込み検出機構に含まれる過負荷判定機構を図２を参照して説明したように左側のかごドアパネル１ａ付近に設けた場合を開示したが、右側のかごドアパネル１ａ付近にも過負荷判定機構を左右対称構造で設けても良い。また、実施例１では、ドアパネルを両開き構造として説明したが、片開構造のドアパネルを対象にしても同様に引き込み検出機構を適用することが可能である。更に、実施例１では、エレベータのドアパネルを対象にした場合を説明したが、その他に自動で開閉する自動ドアにおいて開閉動作で出入口に枠隙間が生じる構造の例えば建物や自動駐車場の出入口の自動ドアにも同様に引き込み検出機構を適用することが可能である。加えて、実施例１における横方向の機器配置及び動作を縦方向にして上下方向に開閉するアップスライディング方式のドアパネルを対象にしても、同様に引き込み検出機構を適用することが可能である。従って、本発明のエレベータ用出入口装置の要部に係る引き込み検出機構は、実施例１で開示した形態のものに限定されない。
【符号の説明】
【００２４】
１ａ、１ｂ  かごドアパネル
２  ハンガー
２ａ  ハンガーローラ
３  ドアレール
４  レール取付板
５  ガイドシュー
６  敷居
７  開閉装置（ドアマシン）
７ａ  ドアモータ
８  駆動ロープ
９ａ、９ｂ  連結部
１０  可動装置
１１  ハンガー側ブラケット
１２  ドア側ブラケット
１３  ばね
１４  ドア保持装置
１５  マイクロスイッチ
１５ａ  スイッチレバー
１６  変位検出用カム
１７  ベース
１８  ローラ
１９  軸
Ｆ  負荷力
【図１】
2014231421.tif 000003
【図２】
2014231421.tif 000004
【図３】
2014231421.tif 000005
【図４】
2014231421.tif 000006
【図５】
2014231421.tif 000007